(57)【要約】      （修正有）【課題】変形せず開閉が円滑な使用に長期に亘り耐え得ると共に窓状板体を簡単な操作で確実に取付けることができる扉の提供。【解決手段】横かまち部材１，１の両側部に立てかまち部材３，３を設けてかまち枠体４を形成し、更に横かまち部材の対設する横かまち内縁５，５に横かまち嵌入溝６，６を設けると共に立てかまち部材の対設する立てかまち内縁７，７に立てかまち嵌入溝８，８を設け、且つ横かまち嵌入溝及び立てかまち嵌入溝に窓状板体９の周縁部１０を嵌入すると共に、かまち枠体には窓状板体挿脱口部１１を設け、又窓状板体挿脱口部に位置する横かまち部材と立てかまち部材とに亘り連続した凹字状溝１４を形成し、又更に凹字状溝に嵌入する断面凹字状の金属接続部材１５を形成し、該金属接続部材を凹字状溝に嵌入すると共に金属接続部材に設けたネジ孔を介してネジを横かまち部材１と立てかまち部材とに螺着して窓状板体挿脱口部を閉鎖したことを特徴としている。【選択図】図１
2005016054.tif 000002
【特許請求の範囲】
【請求項１】
横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には横かまち部材１と立てかまち部材３とを分離して窓状板体９の周縁部１０を横かまち嵌入溝６，６及び立てかまち嵌入溝８，８に挿脱させる窓状板体挿脱口部１１，１１を設け、且又窓状板体挿脱口部１１，１１に位置する横かまち部材１，１の横かまち外縁面部１２，１２と立てかまち部材３，３の立てかまち端縁面部１３，１３、１３，１３とに亘り連続した断面凹字状の凹字状溝１４，１４を形成し、又更に凹字状溝１４，１４に嵌入する断面凹字状のステンレス製等の金属接続部材１５，１５を形成し、該金属接続部材１５，１５を凹字状溝１４，１４に嵌入すると共に金属接続部材１５，１５の数ヶ所に設けたネジ孔１６を介してネジ１７を横かまち部材１と立てかまち部材３とに螺着して窓状板体挿脱口部１１，１１を閉鎖したことを特徴とする扉。
【請求項２】
横かまち部材１を形成した上横かまち部材１８の両側面部１９，１９と横かまち部材１を形成した下横かまち部材２０との両側面部１９，１９の夫々に立てかまち部材３，３に設けた立てかまち嵌入溝８，８に嵌入する嵌入突条部２１，２１、２１，２１を設けたことをを特徴とする請求項１に記載の扉。
【請求項３】
横かまち部材１を形成した上横かまち部材１８の両側面部１９，１９と横かまち部材１を形成した下横かまち部材２０との両側面部１９，１９の夫々に立てかまち部材３，３に設けた立てかまち嵌入溝８，８に対応する箇所に嵌入凹溝２２，２２、２２，２２を設けると共に嵌入凹溝２２，２２、２２，２２と立てかまち嵌入溝８，８に嵌入する嵌入片２３，２３、２３，２３を設けたことをを特徴とする請求項１に記載の扉
【請求項４】
横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には１方に横かまち部材１と立てかまち部材３を連結固定する数個のダボ２４を嵌入する数個のダボ嵌入孔２５を設けると共に他方には横かまち部材１と立てかまち部材３とを分離して窓状板体９の周縁部１０を横かまち嵌入溝６，６及び立てかまち嵌入溝８，８に挿脱させる窓状板体挿脱口部１１を設け、且又窓状板体挿脱口部１１に位置する横かまち部材１の横かまち外縁面部１２と立てかまち部材３の立てかまち端縁面部１３とに亘り連続した断面凹字状の凹字状溝１４を形成し、又更に凹字状溝１４に嵌入する断面凹字状のステンレス製等の金属接続部材１５を形成し、該金属接続部材１５を凹字状溝１４に嵌入すると共に金属接続部材１５の数ヶ所に設けたネジ孔１６を介してネジ１７を横かまち部材１と立てかまち部材３とに螺着して窓状板体挿脱口部１１を閉鎖したことを特徴とする扉。
【請求項５】
横かまち部材１を形成した上横かまち部材１８の両側面部１９，１９と夫々に立てかまち部材３，３に設けた立てかまち嵌入溝８，８に嵌入する嵌入突条部２１，２１、２１，２１を設けたことをを特徴とする請求項４に記載の扉。
【請求項６】
横かまち部材１を形成した上横かまち部材１８の両側面部１９，１９と立てかまち部材３，３に設けた立てかまち嵌入溝８，８に対応する箇所に嵌入凹溝２２，２２を設けると共に嵌入凹溝２２，２２と立てかまち嵌入溝８，８に嵌入する嵌入片２３，２３を設けたことをを特徴とする請求項４に記載の扉。
【請求項７】
横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には１方に横かまち部材１，１と立てかまち部材３を連結固定する数個のダボ２４を嵌入する数個のダボ嵌入孔２５を設けると共に他方には横かまち部材１と立てかまち部材３とを分離して窓状板体９の周縁部１０を横かまち嵌入溝６，６及び立てかまち嵌入溝８，８に挿脱させる窓状板体挿脱口部１１を設け、且又窓状板体挿脱口部１１に位置する横かまち部材１，１の横かまち外縁面部１２，１２と立てかまち部材３の立てかまち端縁面部１３，１３とに亘り連続した断面凹字状の凹字状溝１４，１４を形成し、又更に凹字状溝１４，１４に嵌入する断面凹字状のステンレス製等の金属接続部材１５，１５を形成し、該金属接続部材１５，１５を凹字状溝１４，１４に嵌入すると共に金属接続部材１５，１５の数ヶ所に設けたネジ孔１６を介してネジ１７を横かまち部材１と立てかまち部材３とに螺着して窓状板体挿脱口部１１，１１を閉鎖したことを特徴とする扉。
【請求項８】
窓状板体１の周縁部１０を外嵌する弾性を有した断面Ｕ字状で窓状板体１の周縁部１０を被覆するＵ字状被覆部４２を備えた弾性条体２６を設け、更に弾性を有した断面Ｕ字状の弾性条体２５は両端に膨出紐条部２７，２７を設けると共に切断可能な素材で形成し、更に横かまち嵌入溝６，６及び立てかまち嵌入溝８，８に窓状板体９の周縁部１０を嵌入するに際して周縁部１０に弾性条体２６のＵ字状被覆部４２を介在して嵌入すると共に窓状板体９の周縁部１０で角部２８に位置する弾性条体２６のＵ字状被覆部４２は膨出紐条部２７，２７を残して切断した切断部２９を設けて横かまち嵌入溝６，６及び立てかまち嵌入溝８，８に窓状板体９の周縁部１０を装着したことをを特徴とする請求項１乃至請求項７のいずれか１項に記載の扉。
【発明の詳細な説明】
【０００１】
【産業上の利用分野】
この発明は、変形せず開閉が円滑な使用に長期に亘り耐え得ると共に窓状板体を簡単な操作で確実に取付け、取換えることができる扉に関するものである。
【０００２】
【従来の技術】
従来よりマンション等の建物に於ける人の出入口、又は物入れ等の開閉口に使用すると共に透明又は半透明でカラス製又は合成樹脂製等の窓状板体を備えた扉として多種多様のものが知られている。
【０００３】
【発明が解決しようとする問題点】
ところで、従来のマンション等の建物に於ける人の出入口、又は物入れ等の開閉口に使用すると共に透明又は半透明でカラス製又は合成樹脂製等の窓状板体を備えた扉は長期に亘る使用中に変形してその開閉操作を円滑に行うことができず、更に透明又は半透明でカラス製又は合成樹脂製等の窓状板体が破損した場合に簡単な操作で取付け、取換えることができないものであり、又更に窓状板体の取付け手段が複雑で取扱いが容易で使い勝手がよい扉を安価に提供することができない等の欠点があった。
【０００４】
この発明は上記の問題点を解決したものであって、構造が簡単で、安価に提供できると共に長期に亘り堅牢に保持されて変形することがなく、円滑に開閉操作を行うことができて使い勝手が良く、更に透明又は半透明でガラス製又は合成樹脂製等の窓状板体の取付け、取換え操作が容易であると共に開閉操作によつて取付けた窓状板体が揺れ動いてかたかたと異音がでるようなことがなく使用上極めて好都合である扉を得ることを目的としたものである。
【０００５】
【問題点を解決するための手段】
上記の目的を達成する為のこの発明は、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には横かまち部材１と立てかまち部材３とを分離して窓状板体９の周縁部１０を横かまち嵌入溝６，６及び立てかまち嵌入溝８，８に挿脱させる窓状板体挿脱口部１１，１１を設け、且又窓状板体挿脱口部１１，１１に位置する横かまち部材１，１の横かまち外縁面部１２，１２と立てかまち部材３，３の立てかまち端縁面部１３，１３、１３，１３とに亘り連続した断面凹字状の凹字状溝１４，１４を形成し、又更に凹字状溝１４，１４に嵌入する断面凹字状のステンレス製等の金属接続部材１５，１５を形成し、該金属接続部材１５，１５を凹字状溝１４，１４に嵌入すると共に金属接続部材１５，１５の数ヶ所に設けたネジ孔１６を介してネジ１７を横かまち部材１と立てかまち部材３とに螺着して窓状板体挿脱口部１１，１１を閉鎖したものである。
【０００６】
又、横かまち部材１を形成した上横かまち部材１８の両側面部１９，１９と横かまち部材１を形成した下横かまち部材２０との両側面部１９，１９の夫々に立てかまち部材３，３に設けた立てかまち嵌入溝８，８に嵌入する嵌入突条部２１，２１、２１，２１を設けたものである。
【０００７】
又、横かまち部材１を形成した上横かまち部材１８の両側面部１９，１９と横かまち部材１を形成した下横かまち部材２０との両側面部１９，１９の夫々に立てかまち部材３，３に設けた立てかまち嵌入溝８，８に対応する箇所に嵌入凹溝２２，２２、２２，２２を設けると共に嵌入凹溝２２，２２、２２，２２と立てかまち嵌入溝８，８に嵌入する嵌入片２３，２３、２３，２３を設けたものである。
【０００８】
又、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には１方に横かまち部材１と立てかまち部材３を連結固定する数個のダボ２４を嵌入する数個のダボ嵌入孔２５を設けると共に他方には横かまち部材１と立てかまち部材３とを分離して窓状板体９の周縁部１０を横かまち嵌入溝６，６及び立てかまち嵌入溝８，８に挿脱させる窓状板体挿脱口部１１を設け、且又窓状板体挿脱口部１１に位置する横かまち部材１の横かまち外縁面部１２と立てかまち部材３の立てかまち端縁面部１３とに亘り連続した断面凹字状の凹字状溝１４を形成し、又更に凹字状溝１４に嵌入する断面凹字状のステンレス製等の金属接続部材１５を形成し、該金属接続部材１５を凹字状溝１４，１４に嵌入すると共に金属接続部材１５の数ヶ所に設けたネジ孔１６を介してネジ１７を横かまち部材１と立てかまち部材３とに螺着して窓状板体挿脱口部１１，１１を閉鎖したものである。
【０００９】
又、横かまち部材１を形成した上横かまち部材１８の両側面部１９，１９と夫々に立てかまち部材３，３に設けた立てかまち嵌入溝８，８に嵌入する嵌入突条部２１，２１、２１，２１を設けたものである。
【００１０】
又、横かまち部材１を形成した上横かまち部材１８の両側面部１９，１９と立てかまち部材３，３に設けた立てかまち嵌入溝８，８に対応する箇所に嵌入凹溝２２，２２を設けると共に嵌入凹溝２２，２２と立てかまち嵌入溝８，８に嵌入する嵌入片２３，２３を設けたものである。
【００１１】
又、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には１方に横かまち部材１，１と立てかまち部材３を連結固定する数個のダボ２４を嵌入する数個のダボ嵌入孔２５を設けると共に他方には横かまち部材１と立てかまち部材３とを分離して窓状板体９の周縁部１０を横かまち嵌入溝６，６及び立てかまち嵌入溝８，８に挿脱させる窓状板体挿脱口部１１を設け、且又窓状板体挿脱口部１１に位置する横かまち部材１，１の横かまち外縁面部１２，１２と立てかまち部材３の立てかまち端縁面部１３，１３とに亘り連続した断面凹字状の凹字状溝１４，１４を形成し、又更に凹字状溝１４，１４に嵌入する断面凹字状のステンレス製等の金属接続部材１５，１５を形成し、該、金属接続部材１５，１５を凹字状溝１４，１４に嵌入すると共に金属接続部材１５，１５の数ヶ所に設けたネジ孔１６を介してネジ１７を横かまち部材１と立てかまち部材３とに螺着して窓状板体挿脱口部１１，１１を閉鎖したものである。
【００１２】
又、窓状板体１の周縁部１０を外嵌する弾性を有した断面Ｕ字状で窓状板体１の周縁部１０を被覆するＵ字状被覆部４２を備えた弾性条体２６を設け、更に弾性を有した断面Ｕ字状の弾性条体２５は両端に膨出紐条部２７，２７を設けると共に切断可能な素材で形成し、更に横かまち嵌入溝６，６及び立てかまち嵌入溝８，８に窓状板体９の周縁部１０を嵌入するに際して周縁部１０に弾性条体２６のＵ字状被覆部４２を介在して嵌入すると共に窓状板体９の周縁部１０で角部２８に位置する弾性条体２６のＵ字状被覆部４２は膨出紐条部２７，２７を残して切断した切断部２９を設けて横かまち嵌入溝６，６及び立てかまち嵌入溝８，８に窓状板体９の周縁部１０を装着したものである。
【００１３】
【実施例】
以下図面についてこの発明の実施例を説明すると、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には横かまち部材１と立てかまち部材３とを分離して窓状板体９の周縁部１０を横かまち嵌入溝６，６及び立てかまち嵌入溝８，８に挿脱させる窓状板体挿脱口部１１，１１を設け、且又窓状板体挿脱口部１１，１１に位置する横かまち部材１，１の横かまち外縁面部１２，１２と立てかまち部材３，３の立てかまち端縁面部１３，１３、１３，１３とに亘り連続した断面凹字状の凹字状溝１４，１４を形成し、又更に凹字状溝１４，１４に嵌入する断面凹字状のステンレス製等の金属接続部材１５，１５を形成し、該金属接続部材１５，１５を凹字状溝１４，１４に嵌入すると共に金属接続部材１５，１５の数ヶ所に設けたネジ孔１６を介してネジ１７を横かまち部材１と立てかまち部材３とに螺着して窓状板体挿脱口部１１，１１を閉鎖したものである（図１〜図８、図１０参照）。
【００１４】
又、横かまち部材１を形成した上横かまち部材１８の両側面部１９，１９と横かまち部材１を形成した下横かまち部材２０との両側面部１９，１９の夫々に立てかまち部材３，３に設けた立てかまち嵌入溝８，８に嵌入する嵌入突条部２１，２１、２１，２１を設けたものである（図８、図１２参照）。
【００１５】
又、横かまち部材１を形成した上横かまち部材１８の両側面部１９，１９と横かまち部材１を形成した下横かまち部材２０との両側面部１９，１９の夫々に立てかまち部材３，３に設けた立てかまち嵌入溝８，８に対応する箇所に嵌入凹溝２２，２２、２２，２２を設けると共に嵌入凹溝２２，２２、２２，２２と立てかまち嵌入溝８，８に嵌入する嵌入片２３，２３、２３，２３を設けたものである（図１３、図１４参照）。
【００１６】
又、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には１方に横かまち部材１と立てかまち部材３を連結固定する数個のダボ２４を嵌入する数個のダボ嵌入孔２５を設けると共に他方には横かまち部材１と立てかまち部材３とを分離して窓状板体９の周縁部１０を横かまち嵌入溝６，６及び立てかまち嵌入溝８，８に挿脱させる窓状板体挿脱口部１１を設け、且又窓状板体挿脱口部１１に位置する横かまち部材１の横かまち外縁面部１２と立てかまち部材３の立てかまち端縁面部１３とに亘り連続した断面凹字状の凹字状溝１４を形成し、又更に凹字状溝１４に嵌入する断面凹字状のステンレス製等の金属接続部材１５を形成し、該金属接続部材１５を凹字状溝１４，１４に嵌入すると共に金属接続部材１５の数ヶ所に設けたネジ孔１６を介してネジ１７を横かまち部材１と立てかまち部材３とに螺着して窓状板体挿脱口部１１，１１を閉鎖したものである（図３、図１５〜図２０参照）。
【００１７】
又、横かまち部材１を形成した上横かまち部材１８の両側面部１９，１９と夫々に立てかまち部材３，３に設けた立てかまち嵌入溝８，８に嵌入する嵌入突条部２１，２１を設けたものである（図１２、図１３、図１５〜図２０参照）。
【００１８】
又、横かまち部材１を形成した上横かまち部材１８の両側面部１９，１９と立てかまち部材３，３に設けた立てかまち嵌入溝８，８に対応する箇所に嵌入凹溝２２，２２を設けると共に嵌入凹溝２２，２２と立てかまち嵌入溝８，８に嵌入する嵌入片２３，２３を設けたものである（図１３〜図２０参照）。
【００１９】
又、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周縁にかまち枠体４を形成すると共に、該かまち枠体４には１方に横かまち部材１，１と立てかまち部材３を連結固定する数個のダボ２４を嵌入する数個のダボ嵌入孔２５を設けると共に他方には横かまち部材１と立てかまち部材３とを分離して窓状板体９の周縁部１０を横かまち嵌入溝６，６及び立てかまち嵌入溝８，８に挿脱させる窓状板体挿脱口部１１を設け、且又窓状板体挿脱口部１１に位置する横かまち部材１，１の横かまち外縁面部１２，１２と立てかまち部材３の立てかまち端縁面部１３，１３とに亘り連続した断面凹字状の凹字状溝１４，１４を形成し、又更に凹字状溝１４，１４に嵌入する断面凹字状のステンレス製等の金属接続部材１５，１５  を形成し、該金属接続部材１５，１５を凹字状溝１４，１４に嵌入すると共に金属接続部材１５，１５の数ヶ所に設けたネジ孔１６を介してネジ１７を横かまち部材１と立てかまち部材３とに螺着して窓状板体挿脱口部１１，１１を閉鎖したものである（図２３〜図２５参照）。
【００２０】
又、窓状板体９の周縁部１０を外嵌する弾性を有した断面Ｕ字状で窓状板体９の周縁部１０を被覆するＵ字状被覆部４２を備えた弾性条体２６を設け、更に弾性を有した断面Ｕ字状の弾性条体２５は両端に膨出紐条部２７，２７を設けると共に切断可能な素材で形成し、更に横かまち嵌入溝６，６及び立てかまち嵌入溝８，８に窓状板体９の周縁部１０を嵌入するに際して周縁部１０に弾性条体２６のＵ字状被覆部４２を介在して嵌入すると共に窓状板体９の周縁部１０で周縁角部２８に位置する弾性条体２６のＵ字状被覆部４２は膨出紐条部２７，２７を残して切断した切断部２９を設けて横かまち嵌入溝６，６及び立てかまち嵌入溝８，８に窓状板体９の周縁部１０を装着したものである（図２６〜図３０参照）。
【００２１】
又、横かまち部材１は多数枚の第１角状ベニヤ板材３０，３０・・・を前後に接着して横かまち芯材３１を形成し、該横かまち芯材３１の左右端面３２，３２及び上部又は下部の上下端面を除き表面に模様紙又は合成樹脂等の強靭であると共に折曲可能な模様シート３４の裏面にベニヤ板部材３５を接着すると共にベニヤ板部材３５の折曲部には９０度折曲の直角折曲用溝部３６を設けた第１化粧板３７を被覆接着して上横かまち部材１８及び下横かまち部材２０を形成したものである（図４、図７、図８、図１０、図１１参照）。
【００２２】
又、立てかまち部材３は、扉の形状によって空洞部４４を有したもの、空洞部４４を有しないものを形成し、該立てかまち部材３を扉の左右及び中間等に位置して取付けるものであって、扉の左右に位置して空洞部４４を有した立てかまち部材３は、多数枚の第２角状ベニヤ板材３８，３８・・・を上下に接着して形成した角状板部材３９と多数枚の縦長角状ベニヤ板材４０，４０・・・を左右に接着して形成した縦長角状板部材４１とよりなり、更に上下に設けた角状板部材３９，３９の左右に縦長角状板部材４０，４０の上下を接着して空洞部４４を有した立てかまち芯材４５を形成し、該立てかまち芯材４５の上下端面及び左右何れかの一方端面部４７を除き表面に模様紙又は合成樹脂等の強靭であると共に折曲可能な模様シート３４の裏面にベニヤ板部材３５を接着すると共にベニヤ板部材３５の折曲部には表面に小幅縦状傾斜面部３３が形成される折曲用溝部４３を設けた第２化粧板４６を被覆接着して形成したものであり、空洞部４４を有した立てかまち部材３は軽量に形成され、又更に多数枚の第２角状ベニヤ板材３８，３８・・・を上下に接着して形成した角状板部材３９と多数枚の縦長角状ベニヤ板材４０，４０・・・を左右に接着して形成した縦長角状板部材４１とによって妄りに変形しない堅牢な扉が形成されるものである（図２、図４〜図６、図８、図９参照）。
【００２３】
又、扉の左右で空洞部４４を有しない立てかまち部材３は、多数枚の縦長角状ベニヤ板材４０，４０・・・を左右に接着して形成した縦長角状板部材４１を備え、更に縦長角状板部材４１の上下端面及び左右何れかの一方端面部４７を除き表面に模様紙又は合成樹脂等の強靭であると共に折曲可能な模様シート３４の裏面にベニヤ板部材３５を接着すると共にベニヤ板部材３５の折曲部には表面に小幅縦状傾斜面部４８が形成される折曲用溝部４３を設けた第２化粧板４６を被覆接着して形成したものであり、又更に多数枚の縦長角状ベニヤ板材４０，４０・・・を左右に接着して形成した縦長角状板部材４１を備えたことによって妄りに変形しない堅牢な扉が形成されるものである（図９、図２１、図２２参照）。
【００２４】
又、扉の中間に位置して空洞部４４を有しない立てかまち部材３は、多数枚の縦長角状ベニヤ板材４０，４０・・・を左右に接着して形成した縦長角状板部材４１を備え、更に縦長角状板部材４１の上下端面を除き表面に模様紙又は合成樹脂等の強靭であると共に折曲可能な模様シート３４の裏面にベニヤ板部材３５を接着すると共にベニヤ板部材３５の折曲部には表面に小幅縦状傾斜面部４８が形成される折曲用溝部４３を設けた第２化粧板４６を被覆接着して形成したものであり、又更に扉の中間にも多数枚の縦長角状ベニヤ板材４０，４０・・・を左右に接着して形成した縦長角状板部材４１を備えたことによって妄りに変形しない堅牢な扉が形成されるものである（図９、図２１、図２２参照）。
【００２５】
【発明の作用効果】
この発明は以上のような構成であり、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でガラス製又は合成樹脂製等の窓状板体９の周縁部１０を嵌入して窓状板体９の周透明又は半透明でガラス製又は合成樹脂製等の窓状板体９には横かまち部材１，１と立てかまち部材３，３とを分離して窓状板体９の周縁部１０を横かまち嵌入溝６，６及び立てかまち嵌入溝８，８に挿脱させる窓状板体９の窓状板体挿脱口部１１，１１を設けたので窓状板体挿脱口部１１，１１より窓状板体９を横かまち嵌入溝６，６及び立てかまち嵌入溝８，８に簡単確実に挿脱させることができて窓状板体９が破損した際等の取換えを簡便に行うことができるものであり、更に窓状板体挿脱口部１１，１１に位置する横かまち部材１，１の横かまち外縁面部１２，１２と立てかまち部材３，３の立てかまち端縁面部１３，１３、１３，１３とに亘り連続した断面凹字状の凹字状溝１４，１４を形成し、又更に凹字状溝１４，１４に嵌入する断面凹字状のステンレス製等の金属接続部材１５，１５を形成し、該金属接続部材１５，１５を凹字状溝１４，１４に嵌入すると共に金属接続部材１５，１５の数ヶ所に設けたネジ孔１６を介してネジ１７を横かまち部材１と立てかまち部材３とに螺着して窓状板体挿脱口部１１，１１を閉鎖したのでかまち枠体４に透明又は半透明でガラス製又は合成樹脂製等の窓状板体９を装着するに際しては組み立てたかまち枠体４の立てかまち部材３，３から横かまち部材１を外して一方に開口した窓状板体挿脱口部１１から窓状板体９の周縁部１０を立てかまち嵌入溝８，８及び一方の横かまち嵌入溝６に嵌入した後に更に横かまち部材１を立てかまち部材３，３に取付けてと共に金属接続部材１５を取付けて窓状板体挿脱口部１１，１１を閉じるもので窓状板体９のかまち枠体４からの離脱を防止するものであり、更にかまち枠体４の変形を断面凹字状の凹字状溝１４，１４に嵌入した断面凹字状のステンレス製等の金属接続部材１５，１５で阻止すると共に金属接続部材１５，１５の数ヶ所に設けたネジ孔１６を介してネジ１７を横かまち部材１と立てかまち部材３とに螺着したことによってかまち枠体４から金属接続部材１５，１５がの離脱することがなくして堅牢な扉を得ることが出来るものである。
【００２６】
又、横かまち部材１を形成した上横かまち部材１８の両側面部１９，１９と横かまち部材１を形成した下横かまち部材２０との両側面部１９，１９の夫々に立てかまち部材３，３に設けた立てかまち嵌入溝８，８に嵌入する嵌入突条部２１，２１、２１，２１を設けたので横かまち部材１を形成した上横かまち部材１８の両側面部１９，１９と下横かまち部材２０との両側面部１９，１９とがずれることなく取付けられると共に断面凹字状の金属接続部材１５，１５を取付けたこととが相俟ってかまち枠体４の変形を阻止するものである。
【００２７】
又、横かまち部材１を形成した上横かまち部材１８の両側面部１９，１９と横かまち部材１を形成した下横かまち部材２０との両側面部１９，１９の夫々に立てかまち部材３，３に設けた立てかまち嵌入溝８，８に対応する箇所に嵌入凹溝２２，２２、２２，２２を設けると共に嵌入凹溝２２，２２、２２，２２と立てかまち嵌入溝８，８に嵌入する嵌入片２３，２３、２３，２３を設けたので横かまち部材１を形成した上横かまち部材１８の両側面部１９，１９と下横かまち部材２０との両側面部１９，１９とがずれることを嵌入する嵌入片２３，２３、２３，２３で防止すると共に断面凹字状の金属接続部材１５，１５を取付けたこととが相俟ってかまち枠体４の変形を阻止するものである。
【００２８】
又、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でカラス製又は合成樹脂製等の窓状板体９の周縁部１０を嵌入して窓状板体９の周縁にかまち枠体４を形成すると共に、該かまち枠体４には１方に横かまち部材１と立てかまち部材３を連結固定する数個のダボ２４を嵌入する数個のダボ嵌入孔２５を設けると共に他方には横かまち部材１と立てかまち部材３とを分離して窓状板体９の周縁部１０を横かまち嵌入溝６，６及び立てかまち嵌入溝８，８に挿脱させる窓状板体９の窓状板体挿脱口部１１を設けたので窓状板体挿脱口部１１より窓状板体９を横かまち嵌入溝６，６及び立てかまち嵌入溝８，８に簡単確実に挿脱させることができて窓状板体９が破損した際等の取換えを簡便に行うことができるものであり、更に窓状板体挿脱口部１１に位置する横かまち部材１の横かまち外縁面部１２と立てかまち部材３の立てかまち端縁面部１３とに亘り連続した断面凹字状の凹字状溝１４を形成し、又更に凹字状溝１４に嵌入する断面凹字状のステンレス製等の金属接続部材１５を形成し、該金属接続部材１５を凹字状溝１４に嵌入すると共に金属接続部材１５の数ヶ所に設けたネジ孔１６を介してネジ１７を横かまち部材１と立てかまち部材３とに螺着して窓状板体挿脱口部１１を閉鎖したのでかまち枠体４の変形阻止を確実として堅牢な扉を得ることが出来るものである。
【００２９】
又、横かまち部材１を形成した上横かまち部材１８の両側面部１９，１９と夫々に立てかまち部材３，３に設けた立てかまち嵌入溝８，８に嵌入する嵌入突条部２１，２１、２１，２１を設けたので横かまち部材１を形成した上横かまち部材１８の両側面部１９，１９と下横かまち部材２０との両側面部１９，１９とがずれることなく取付けられると共に断面凹字状の金属接続部材１５を取付けたこととが相俟ってかまち枠体４の変形を阻止するものである。
【００３０】
又、横かまち部材１を形成した上横かまち部材１８の両側面部１９，１９と立てかまち部材３，３に設けた立てかまち嵌入溝８，８に対応する箇所に嵌入凹溝２２，２２を設けると共に嵌入凹溝２２，２２と立てかまち嵌入溝８，８に嵌入する嵌入片２３，２３を設けたので横かまち部材１を形成した上横かまち部材１８の両側面部１９，１９と下横かまち部材２０との両側面部１９，１９とがずれることを嵌入する嵌入片２３，２３で防止すると共に断面凹字状の金属接続部材１５を取付けたこととが相俟ってかまち枠体４の変形を阻止するものである。
【００３１】
又、横かまち部材１，１の両側部２，２，２，２に立てかまち部材３，３を設けてかまち枠体４を形成し、更に横かまち部材１，１の対設する横かまち内縁５，５に横かまち嵌入溝６，６を設けると共に立てかまち部材３，３の対設する立てかまち内縁７，７に立てかまち嵌入溝８，８を設け、且つ横かまち嵌入溝６，６及び立てかまち嵌入溝８，８に透明又は半透明でカラス製又は合成樹脂製等の窓状板体９の周縁部１０を嵌入して窓状板体９の周縁にかまち枠体４を形成すると共に、該かまち枠体４には１方に横かまち部材１，１と立てかまち部材３を連結固定する数個のダボ２４を嵌入する数個のダボ嵌入孔２５を設けると共に他方には横かまち部材１，１と立てかまち部材３とを分離して窓状板体９の周縁部１０を横かまち嵌入溝６，６及び立てかまち嵌入溝８，８に挿脱させる窓状板体９の窓状板体挿脱口部１１を設けたのでかまち枠体４に対する窓状板体９の窓状板体挿脱口部１１がかまち枠体４の横方向に設けられていて窓状板体９をかまち枠体４の上方に持ち上げる必要がないので広い幅のかまち枠体４を備えたものに形成して広い幅を有した窓状板体９を窓状板体挿脱口部１１より横かまち嵌入溝６，６及び立てかまち嵌入溝８，８に簡単確実に挿脱させることができて窓状板体９が破損した際等の取換えを簡便に行うことができるものであり、更に窓状板体挿脱口部１１より窓状板体９を横かまち嵌入溝６，６及び立てかまち嵌入溝８，８に簡単確実に挿脱させることができて窓状板体９が破損した際等の取換えを簡便に行うことができるものであり、更に窓状板体挿脱口部１１に位置する横かまち部材１，１の横かまち外縁面部１２，１２と立てかまち部材３の立てかまち端縁面部１３，１３とに亘り連続した断面凹字状の凹字状溝１４，１４を形成し、断面凹字状のステンレス製等の金属接続部材１５，１５を凹字状溝１４，１４に嵌入すると共に金属接続部材１５，１５の数ヶ所に設けたネジ孔１６を介してネジ１７を横かまち部材１，１と立てかまち部材３とに螺着して窓状板体挿脱口部１１を閉鎖したのでかまち枠体４の変形阻止を確実として堅牢な扉を得ることが出来るものである。
【００３２】
又、窓状板体１の周縁部１０を外嵌する弾性を有した断面Ｕ字状で窓状板体１の周縁部１０を被覆するＵ字状被覆部４２を備えた弾性条体２６を設け、更に弾性を有した断面Ｕ字状のＵ字状被覆部４２は両端に膨出紐条部２７，２７を設けると共に切断可能な素材で形成し、更に横かまち嵌入溝６，６及び立てかまち嵌入溝８，８に窓状板体９の周縁部１０を嵌入するに際して周縁部１０に弾性条体２６のＵ字状被覆部５１を介在して嵌入すると共に窓状板体９の周縁部１０で角部２８に位置する弾性条体２６のＵ字状被覆部２５は膨出紐条部２７，２７を残して切断した切断部２９を設けて横かまち嵌入溝６，６及び立てかまち嵌入溝８，８に窓状板体９の周縁部１０を装着したものであるので窓状板体１の周縁部１０を横かまち嵌入溝６，６及び立てかまち嵌入溝８，８に窓状板体９の周縁部１０を嵌入するに際して隙間ができることなく、扉の開閉に際して窓状板体１の周縁部１０が横かまち嵌入溝６，６及び立てかまち嵌入溝８，８内でガタついて音を発生することなく安定よく取付けられているものである。
【００３３】
又、弾性条体２６は窓状板体９の周縁部１０で周縁角部２８に位置する弾性条体２６のＵ字状被覆部４２は膨出紐条部２７，２７を残して切断した切断部２９を設けので窓状板体９の周縁部１０に取付けた弾性条体２６が窓状板体９の周縁角部２８で膨らんで横かまち嵌入溝６，６及び立てかまち嵌入溝８，８に窓状板体９の周縁部１０を嵌入するに際して周縁部１０に弾性条体２６のＵ字状被覆部４２が嵌入出来なくなる支障を生ずることなく円滑に嵌入出来るものである。
【００３４】
以上のようにこの発明は構造が簡単で、安価に提供できると共に透明又は半透明でカラス製又は合成樹脂製等の窓状板体９の取付け操作を行う窓状板体挿脱口部１１を形成するかまち枠体４の横かまち部材１と立てかまち部材３の着脱箇所には断面凹字状のステンレス製等の金属接続部材１５を備えて横かまち部材１と立てかまち部材３の連結固定を行ったので窓状板体挿脱口部１１を備えたかまち枠体４が妄りに変形することなく長期に亘り堅牢で変形せず、取付け、取外しが出来る窓状板体９を備えた扉の開閉操作を円滑に行うことができて使い勝手が良く、更に透明又は半透明でカラス製又は合成樹脂製等の窓状板体９の取付け取換え操作が断面凹字状の金属接続部材１５の着脱で容易であると共に扉の開閉操作によつて取付けた窓状板体９が揺れ動いて音が出るようなことがなく使用上極めて好都合であり、且つ大生産に適する等幾多の産業的作用効果を奏するものである。
【図面の簡単な説明】
【図１】この発明の第１実施例における扉の正面図である。
【図２】図１に於ける拡大上面図である。
【図３】金属接続部材とネジとを分離した状態を示した拡大斜視図である。
【図４】図１に於ける金属接続部材を除いた拡大上面図である。
【図５】図１に於けるＡ−Ａ拡大断面図である。
【図６】図１に於けるＢ−Ｂ拡大断面図である。
【図７】図１に於けるＣ−Ｃ拡大断面図である。
【図８】図４に於けるＡ部の一部切欠拡大面図である。
【図９】第１化粧板の一部を切欠した拡大断面図である。
【図１０】図７に於けるＡ部の一部切欠拡大面図である。
【図１１】第２化粧板の一部を切欠した拡大断面図である。
【図１２】第１実施例における扉の組立て状態を示した分解正面図である。
【図１３】この発明の第２実施例における扉の正面図である。
【図１４】第２実施例における扉の組立て状態を示した分解正面図である。
【図１５】この発明の第３実施例における扉の正面図である。
【図１６】図１５に於けるＡ−Ａ拡大断面図である。
【図１７】図１５に於けるＢ−Ｂ拡大断面図である。
【図１８】図１５に於けるＣ−Ｃ拡大断面図である。
【図１９】図１６に於けるＡ部の一部切欠拡大面図である。
【図２０】第３実施例における扉の組立て状態を示した一部分解斜視図である。
【図２１】この発明の第４実施例における扉の正面図である。
【図２２】図２１に於ける拡大上面図である。
【図２３】この発明の第５実施例における扉の正面図である。
【図２４】図２３に於けるＡ−Ａ拡大断面図である。
【図２５】図２３に於けるＢ−Ｂ拡大断面図である。
【図２６】弾性条体の一部切欠側面図である。
【図２７】図２６に於けるＡ−Ａ断面図である。
【図２８】弾性条体を窓状板体に取付けた状態を示した一部切欠側面図である。
【図２９】弾性条体を備えた窓状板体を立てかまち部材の立て嵌入溝との横かまち部材の横嵌入溝に嵌入した状態を示した一部切欠縦断面である。
【図３０】図２９に於ける一部切欠Ａ−Ａ断面図である。
【符号の説明】
１  横かまち部材
２  両側部
３  立てかまち部材
４  かまち枠体
５  横かまち内縁
６  横かまち嵌入溝
７  立てかまち内縁
８  立てかまち嵌入溝
９  窓状板体
１０  周縁部
１１  窓状板体挿脱口部
１２  横かまち外縁面部
１３  立てかまち端縁面部
１４  凹字状溝
１５  金属接続部材
１６  ネジ孔
１７  ネジ
１８  上横かまち部材
１９  両側面部
２０  下横かまち部材
２１  嵌入突条部
２２  嵌入凹溝
２３  嵌入片
２４  ダボ
２５  ダボ嵌入孔
２６  弾性条体
２７  膨出紐条部
２８  周縁角部
２９  切断部
３０  第１角状ベニヤ板材
３１  横かまち芯材
３２  左右端面
３３  小幅縦状傾斜面部
３４  模様シート
３５  ベニヤ板部材
３６  直角折曲用溝部
３７  第１化粧板
３８  第２角状ベニヤ板材
３９  角状板部材
４０  縦長角状ベニヤ板材
４１  縦長角状板部材
４２  Ｕ字状被覆部
４３  折曲用溝部
４４  空洞部
４５  立てかまち芯材
４６  第２化粧板
４７  一方端面部
【図１】
2005016054.tif 000003
【図２】
2005016054.tif 000004
【図３】
2005016054.tif 000005
【図４】
2005016054.tif 000006
【図５】
2005016054.tif 000007
【図６】
2005016054.tif 000008
【図７】
2005016054.tif 000009
【図８】
2005016054.tif 000010
【図９】
2005016054.tif 000011
【図１０】
2005016054.tif 000012
【図１１】
2005016054.tif 000013
【図１２】
2005016054.tif 000014
【図１３】
2005016054.tif 000015
【図１４】
2005016054.tif 000016
【図１５】
2005016054.tif 000017
【図１６】
2005016054.tif 000018
【図１７】
2005016054.tif 000019
【図１８】
2005016054.tif 000020
【図１９】
2005016054.tif 000021
【図２０】
2005016054.tif 000022
【図２１】
2005016054.tif 000023
【図２２】
2005016054.tif 000024
【図２３】
2005016054.tif 000025
【図２４】
2005016054.tif 000026
【図２５】
2005016054.tif 000027
【図２６】
2005016054.tif 000028
【図２７】
2005016054.tif 000029
【図２８】
2005016054.tif 000030
【図２９】
2005016054.tif 000031
【図３０】
2005016054.tif 000032